(57)【要約】【課題】指やタッチペンなどの指示器が接触した情報表示領域の位置に位置に画像を表示する際の応答性を高めることができる情報表示装置を提供する。【解決手段】タッチ入力処理では、ロジックコントローラ１５０は、少なくとも位置検出部１８０によって検出された検出位置に対応する画素の集合において、画素を構成する複数のカラーフィルタのうち所定のカラーフィルタに対応する表面電極４０ａと裏面電極４０ｂ（この場合の選択電極）に対して、原色毎に異なるタイミングで白色表示媒体９０Ｗ及び黒色表示媒体９０Ｂを駆動可能な書き込み電圧（ＨＶ）を印加する。【選択図】  図１１
2011209326.tif 000002
【特許請求の範囲】
【請求項１】
少なくとも一方が透明な一対の基板と、
前記一対の基板の一方に複数並列に形成される細長い帯状の透明な第１電極部と、
前記第１電極部に対して交差するように前記一対の基板の他方に複数並列に形成された細長い帯状の透明な第１電極部と、
前記第１電極部と前記第２電極部との間に封入され、電界が与えられることによって何れかの電極に向けて移動する表示媒体と、
前記第１電極部及び前記第２電極部に対して前記表示媒体を移動可能な所定回数のパルス状の書き込み電圧を印加する駆動部と、
前記基板において情報が表示される情報表示領域に配置され、１画素に対応する複数の原色が周期的に配列された色フィルターと、
前記情報表示領域に配置され、前記情報表示領域が接触された接触位置を検出する位置検出部と
を備える情報表示装置であって、
前記駆動部は、
前記情報表示領域の、少なくとも位置検出部によって接触されたことが検出された領域において、前記第１電極部又は前記第２電極部の配列方向に沿って配列された前記原色の何れか一つの原色に対応する前記第１電極部及び前記第２電極部に対して、前記表示媒体を駆動可能な書き込み電圧を印加する情報表示装置。
【請求項２】
前記駆動部は、
前記情報表示領域の、少なくとも位置検出部によって接触されたことが検出された領域において、前記第１電極部又は前記第２電極部の配列方向に沿った前記原色の配列周期の順に、前記第１電極部及び前記第２電極部に対して前記表示媒体を駆動可能な書き込み電圧を印加する請求項１に記載の情報表示装置。
【発明の詳細な説明】
【技術分野】
【０００１】
本発明は、情報が表示される表面基板側に形成される電極と、表面基板に対向する裏面基板側に形成される電極とに電圧を印加することにより、電極間に封入された表示媒体を駆動させて情報を表示する情報表示装置に関する。
【背景技術】
【０００２】
従来、情報が表示される情報表示領域を有する透明な表面基板と、前記表面基板に対向する裏面基板との間に、隔壁により互いに隔離された空間（セル）を形成し、電気的に駆動可能な白色又は黒色に着色された表示媒体（例えば、電子粉流体（登録商標））をセル内に１種類以上封入した情報表示装置が知られている。このような情報表示装置では、表面基板側に形成された電極と、裏面基板側に形成された電極とに電圧を印加することによって、白色又は黒色に着色された表示媒体を表面基板側或いは裏面基板側に移動させることにより画像を含む情報を表示する。
【０００３】
また、このような情報表示装置において、表示側の表面基板を位置検出電極として兼用させることにより、情報表示領域における指やペンなどの入力手段が接触した位置を検出する機能が付与された情報表示装置が提案されている（特許文献１参照）。
【０００４】
このような情報表示装置では、情報表示領域における入力手段の接触位置を検出した場所に画像を表示する使用方法が可能である。すなわち、紙にペンで描画するようにペンの軌跡を表示するような使用方法である。
【先行技術文献】
【特許文献】
【０００５】
【特許文献１】特開２００９−１３４３５４号公報  第２図など
【発明の概要】
【発明が解決しようとする課題】
【０００６】
しかしながら、上述した情報表示装置では、使用者にとって紙に実際に描画しているような感覚で使用できるようにするためには、改善の余地が残されていた。そこで、本発明は、指やタッチペンなどの指示器が接触した情報表示領域の位置に位置に画像を表示する際の応答性を高めることができる情報表示装置を提供することを目的とする。
【課題を解決するための手段】
【０００７】
上述した課題を解決するため、本発明の特徴は、少なくとも一方が透明な一対の基板と、前記一対の基板の一方に複数並列に形成される細長い帯状の透明な第１電極部と、前記第１電極部に対して交差するように前記一対の基板の他方に複数並列に形成された細長い帯状の透明な第１電極部と、前記第１電極部と前記第２電極部との間に封入され、電界が与えられることによって何れかの電極に向けて移動する表示媒体と、前記第１電極部及び前記第２電極部に対して前記表示媒体を移動可能な所定回数のパルス状の書き込み電圧を印加する駆動部と、前記基板において情報が表示される情報表示領域に配置され、１画素に対応する複数の原色が周期的に配列された色フィルターと、前記情報表示領域に配置され、前記情報表示領域が接触された接触位置を検出する位置検出部とを備える情報表示装置であって、前記駆動部は、前記情報表示領域の、少なくとも位置検出部によって接触されたことが検出された領域において、前記第１電極部又は前記第２電極部の配列方向に沿って配列された前記原色の何れか一つの原色に対応する前記第１電極部及び前記第２電極部に対して、前記表示媒体を駆動可能な書き込み電圧を印加することを要旨とする。
【発明の効果】
【０００８】
本発明によれば、指やタッチペンなどの指示器が接触した情報表示領域の位置に画像を表示する際の応答性を高めることができる情報表示装置を提供できる。
【図面の簡単な説明】
【０００９】
【図１】図１は、本発明の実施形態に係る情報表示装置１０の概略斜視図である。
【図２】図２（ａ）は、本発明の実施形態に係る画像表示パネル１００の平面図であり、図２（ｂ）は、幅方向（Ｙ方向）及び高さ方向（Ｚ方向）に沿った断面図である。
【図３】図３は、本発明の実施形態に係る画像表示パネル１００の駆動に関連するハードウェアのブロック構成図である。
【図４】図４は、本発明の実施形態に係る情報表示装置１０の論理ブロック構成図である。
【図５】図５は、本発明の実施形態に係る画像表示パネル１００の駆動処理であるアップデート処理を説明するフローチャートである。
【図６】図６は、本発明の実施形態に係る画像表示パネル１００の駆動処理であるタッチ入力処理を説明するフローチャートである。
【図７】図７は、本発明の実施形態に係る画像表示パネル１００の駆動処理である追記処理を説明するフローチャートである。
【図８】図８は、本発明の実施形態に係る画像表示パネル１００の駆動処理である消去処理を説明するフローチャートである。
【図９】図９は、タッチ入力処理を説明する模式図である。
【図１０】図１０は、タッチペンのペン先が情報表示領域に接する領域の時間推移を説明する模式図である。
【図１１】図１１は、タッチペンのペン先が情報表示領域に接することによって検出された入力領域の時間推移を説明する図である。
【図１２】図１２は、画素周期２のカラーフィルタに設定される入力領域のひとつを説明する拡大図である。
【図１３】図１３は、画素周期３の場合、タッチペンのペン先が情報表示領域に接することによって検出された入力領域の時間推移を説明する図である。
【図１４】図１４は、画素周期３のカラーフィルタに設定される入力領域のひとつを説明する拡大図である。
【図１５】図１５は、本発明の実施形態に係る画像表示パネル１００の駆動に用いられる駆動波形の一例を示す図である。
【発明を実施するための形態】
【００１０】
本発明に係る情報表示装置の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１１】
したがって、具体的な寸法などは以下の説明を参酌して判断すべきである。また、図面相互間においても互いの寸法の関係や比率が異なる部分が含まれ得る。
【００１２】
（１）情報表示装置の概略説明
図１は、本実施形態に係る情報表示装置１０の概略斜視図である。図１に示すように、情報表示装置１０は、画像表示パネル１００と筐体２００とを有する。画像表示パネル１００は、情報表示装置１０に読み込まれた画像データに基づいて画像を表示する。筐体２００は、画像表示パネル１００及び画像表示パネル１００を駆動する電源やプリント回路基板（ＰＣＢ）などを収容する。筐体２００の側部には、メモリカードのスロット及びUSBインタフェース（不図示）などが設けられてもよい。
【００１３】
画像表示パネル１００は、表示媒体移動型であり、具体的には、例えば、白色と黒色の電子粉流体（登録商標）などの帯電性粒子を含んだ複数の粒子群が用いられる。画像表示パネル１００のサイズは、特に限定されないが、本実施形態では、６インチ〜１５インチ程度であるものとして以下説明する。
【００１４】
（２）画像表示パネルの構造
以下において、画像表示パネル１００の概略構成について、図面を参照しながら説明する。図２（ａ）は、画像表示パネル１００の拡大平面図である。図２（ｂ）は、図２（ａ）のＢ−Ｂ断面図である。図２（ｂ）は、白色表示媒体９０Ｗが情報表示面側（図中の「目」のマークを参照）に位置している状態を示す。
【００１５】
図２（ａ）及び（ｂ）に示すように、画像表示パネル１００は、表面基板２０ａ、裏面基板２０ｂ、平坦化層３０、表面電極４０ａ、裏面電極４０ｂ、隔壁５０及びカラーフィルタ１１０を有する。
【００１６】
一対の表面基板２０ａ及び裏面基板２０ｂのうち、表面基板２０ａは、情報表示面側に形成される。表面基板２０ａは透明な基板である。表面基板２０ａは、可視光の透過率が高く、かつ耐熱性のよいものが好ましい。裏面基板２０ｂは、表面基板２０ａと対向する。本実施形態では、裏面基板２０ｂも透明な基板である。なお、裏面基板２０ｂは必ずしも透明でなくてもよく、一方の基板（表面基板２０ａ）が透明であればよい。
【００１７】
表面基板２０ａ及び裏面基板２０ｂは、一対の電極部（表面電極４０ａ，裏面電極４０ｂ）に対応して設けられる。具体的には、表面基板２０ａ及び裏面基板２０ｂは、表面電極４０ａ，裏面電極４０ｂよりも外側にそれぞれ設けられる。
【００１８】
平坦化層３０は、表面基板２０ａと表面電極４０ａとの間に形成される。平坦化層３０は、表面基板２０ａの全面を覆っているが、平坦化層３０は、表面基板２０ａを部分的に覆っていてもよい。平坦化層３０の表面電極４０ａ側の表面は、平らに形成される。平坦化層３０は、透明である。表面基板２０ａの裏面電極４０ｂ側には、カラーフィルタ１１０が形成されている。カラーフィルタ１１０には、赤フィルタ１１０Ｒ、緑フィルタ１１０Ｇ、青フィルタ１１０Ｂとが含まれる。カラーフィルタ１１０には、赤フィルタ１１０Ｒ、緑フィルタ１１０Ｇ、青フィルタ１１０Ｂは、Ｃ領域を構成する。Ｃ領域を構成する赤フィルタ１１０Ｒ、緑フィルタ１１０Ｇ、青フィルタ１１０Ｂは、カラー画像の表示に必要な、いわゆる三原色カラー「Ｒ（赤）、Ｇ（緑）、Ｂ（青）」であり、「所定カラー」に相当する。
【００１９】
図２（ａ）に示されるように、表面基板２０ａ側からの平面視において、赤フィルタ１１０Ｒ、緑フィルタ１１０Ｇ、青フィルタ１１０Ｂは規則性を持って配列されている。具体的には、赤フィルタ１１０Ｒ、緑フィルタ１１０Ｇ、青フィルタ１１０Ｂは、平面視において格子状に形成された隔壁５０に囲まれた領域に配置されている。隔壁５０に囲まれた領域において、図２の紙面において、左上に赤フィルタ１１０Ｒが配置され、右上に緑フィルタ１１０Ｇが配置され、左下に青フィルタ１１０Ｂが配置されている。右下の領域には、カラーフィルタ１１０が配置されない透明領域１１０Ｗが形成されている。透明領域１１０Ｗは、Ｗ領域を構成する。透明領域１１０Ｗ領域には、白色表示媒体９０Ｗ及び黒色表示媒体９０Ｂによって、黒色、白色、及び黒色と白色の中間色が表示される。
【００２０】
図２（ｂ）に示されるように、白色表示媒体９０Ｗが表面基板２０ａ側の青フィルタ１１０Ｂに対応する位置にある場合、観察者には青色が表示されていると視認される。その他の色についても同様である。
【００２１】
表面基板２０ａの裏面電極４０ｂ側には、カラーフィルタ１１０が形成されている。更に、カラーフィルタ１１０のの裏面電極４０ｂ側には、平坦化層３０が形成されている。そのため、表面電極４０ａと裏面電極４０ｂとの間隔が一定に保たれる。平坦化層３０を形成することによって、表面電極４０ａと裏面電極４０ｂとの間隔を一定に保つことができ、表示媒体１００の応答性を均一にできる。カラーフィルタ１１０は、例えば、表面基板２０ａ上にカラーフィルタレジストを塗布したり、カラーインクを印刷することによって形成される。
【００２２】
表面電極４０ａは、表面基板２０ａ側に形成される透明な電極である。表面電極４０ａは、表面基板２０ａの内側の表面に形成されている。裏面電極４０ｂは、裏面基板２０ｂ側に形成される電極である。裏面電極４０ｂは裏面基板２０ｂの内側に形成されている。表面電極４０ａ及び裏面電極４０ｂは、細長い帯状の電極であり、互いに交差（実施形態では、直交する）するように配設、つまり、マトリックス状に配設されており、画像表示パネル１００では、パッシブマトリックス駆動方式が用いられる。
【００２３】
具体的には、表面電極４０ａは、画像表示パネル１００の長さ方向（Ｘ方向）に沿って複数配設される。一方、裏面電極４０ｂは、画像表示パネル１００の幅方向（Ｙ方向）に沿って複数配設される。本実施形態において、表面電極４０ａは、所定方向に配設された第１電極を構成し、裏面電極４０ｂは、所定方向と交差する方向に配設された第２電極を構成する。表面電極４０ａと裏面電極４０ｂとが交差するそれぞれの部分が、画素に対応する。
【００２４】
隔壁５０は、表面基板２０ａと裏面基板２０ｂとの間に形成される。隔壁５０は、白色表示媒体９０Ｗ及び黒色表示媒体９０Ｂが封入される空間Ｓを仕切る。隔壁５０は、表面基板２０ａと裏面基板２０ｂとの間の空間を確保するために設けられる。空間Ｓには、白色表示媒体９０Ｗ及び黒色表示媒体９０Ｂの他に、気体（例えば、空気）が封入されている。隔壁５０は、表面基板２０ａ側からの視点において格子状に形成される。格子状とは、所定の空間が形成されるように、周期的に配置されていればよい。空間Ｓは真空にすることもできる。
【００２５】
なお、上述した表面基板２０ａ、裏面基板２０ｂ、表面電極４０ａ、裏面電極４０ｂ及び隔壁５０としては、上述した特開２００８−１５８５０９号公報などに記載されている材料を適宜用いることができる。また、平坦化層３０としては、例えば、エポキシ系ポリマー、アクリル系ポリマーなどの透明性を有する高分子を用いることができる。
【００２６】
また、画像表示パネル１００は、有色層７０及び散乱層８０を有する。有色層７０は、裏面基板２０ｂの外側に形成される。裏面基板２０ｂの外側とは、表面基板２０ａ側とは反対側をいう。有色層７０は、裏面基板２０ｂの外側の表面上に形成されている。なお、有色層７０は、表面基板２０ａ側からの視点において、隔壁５０と対応する部分に形成されていてもよい。
【００２７】
散乱層８０は、表面基板２０ａの外側に形成されている。表面基板２０ａの外側とは、裏面基板２０ｂ側とは反対側をいう。散乱層８０は、表面基板２０ａ上に形成されている。散乱層８０は、光を散乱する。散乱層８０は、光を散乱すれば、散乱方法は問わない。例えば、散乱層８０の表面に凹凸を有することにより、光を散乱させる。
【００２８】
なお、図２（ｂ）に示されるように、画像表示パネル１００において、表面基板２０ａと、表面電極４０ａと、カラーフィルタ９０とを含み、パネルＰと表す。パネルＰは、平坦化層３０及び散乱層７０を含んでもよい。パネルＰは、表面基板２０ａ側から白色表示媒体８０との間にある部材によって構成される。
【００２９】
白色表示媒体９０Ｗ及び黒色表示媒体９０Ｂは、表面電極４０ａと裏面電極４０ｂとの間に封入される。例えば、負帯電性白色粒子を含んだ粒子群である白色表示媒体９０Ｗ及び正帯電性黒色粒子を含んだ粒子群である黒色表示媒体９０Ｂは、表面電極４０ａ及び裏面電極４０ｂを介して電界が与えられることによって何れかの電極に向けて移動する。つまり、白色表示媒体９０Ｗ及び黒色表示媒体９０Ｂは、それぞれ異なる極性の帯電性を有し、電気的に駆動可能である。具体的には、表面電極４０ａと裏面電極４０ｂとに電圧を印加することによって、白色表示媒体９０Ｗ及び黒色表示媒体９０Ｂは、何れかの電極に向けて移動する。
【００３０】
本実施形態では、表面電極４０ａに正の電圧を印加すると、白色表示媒体９０Ｗが表面電極４０ａ側に移動し、黒色表示媒体９０Ｂが裏面電極４０ｂ側に移動する。一方、表面電極４０ａに負の電圧を印加すると、黒色表示媒体９０Ｂが表面電極４０ａ側に移動し、白色表示媒体９０Ｗが裏面電極４０ｂ側に移動する。
【００３１】
本実施形態では、白色表示媒体９０Ｗは、例えば、以下に示す製法や材料によって製造される。まず、ポリメチルペンテンポリマー（TPX-R18；三井化学社製）１００重量部と、着色剤として二酸化チタン（タイペークCR-90：石原産業社製）１００重量部と、負帯電の荷電制御剤としてフェノール系縮合物（ボントロンＥ８９：オリエント化学製）５重量部とを２軸混練機により溶融混練する。得られた溶融混練物をジェットミル（ラボジェットミルIDS-LJ型：日本ニューマチック（株）製）で細かく粉砕する。この粉砕物を分級機（MDS-2：日本ニュ−マチック工業）を用いて分級し、溶融球状化装置（MR-10：日本ニュ−マチック工業）を用いて溶融球状化して、負帯電性の白色粒子群（白色表示媒体９０Ｗ）を得ることができる。
【００３２】
また、黒色表示媒体９０Ｂは、例えば、以下に示す製法や材料によって製造される。まず、メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させる。分散させた液に、（アクリル系及びメタクリル系）樹脂−炭化水素系樹脂ブロックコポリマー（モディパーＦ６００：日本油脂製）５重量部を溶解させる。その後、さらに２重量部のラウリルパーオキサイド（パーロイルＬ：日本油脂製）を溶解させる。その液を、界面活性剤（ポリオキシエチレンアルキルエーテル硫酸ナトリウム（ラテムルＥ−１１８Ｂ：花王製））を０．５％添加した精製水に懸濁させる。懸濁液をろ過し、得られた粒子を乾燥させる。得られた乾燥物をジェットミル（ラボジェットミルIDS-LJ型：日本ニューマチック（株）製）で細かく粉砕する。この粉砕物を分級機（MDS-2：日本ニュ−マチック工業）を用いて分級することによって、黒色粒子群（黒色表示媒体９０Ｂ）を得ることができる。
【００３３】
（３）情報表示装置のブロック構成
図３は、画像表示パネル１００の駆動に関連するハードウェアのブロック構成図である。図４は、情報表示装置１０の論理ブロック構成図である。
【００３４】
（３．１）ハードウェア構成
図３に示すように、情報表示装置１０は、画像表示パネル１００の駆動に関連するハードウェアとして、電源部２１０、ＰＣＢ２２０、ＤＣ−ＤＣコンバータ２２１、コンデンサ２２３Ａ〜２２３Ｄ、コネクタ２２５Ａ，２２５Ｂ及びＴＣＰ２３０を備える。
【００３５】
電源部２１０は、バッテリ、またはＡＣ電源と交直電圧変換器とによって構成される。ＰＣＢ２２０（プリント回路基板）には、ＤＣ−ＤＣコンバータ２２１、コンデンサ２２３Ａ〜２２３Ｄ、コネクタ２２５Ａ，２２５Ｂが搭載される。
【００３６】
ＤＣ−ＤＣコンバータ２２１は、電源部２１０から供給された電源を用いて、画像表示パネル１００を駆動する複数の直流電圧を生成する。具体的には、ＤＣ−ＤＣコンバータ２２１は、高電圧（ＨＶ）及び３種類の中間電圧（ＭＶ１，ＭＶ２，ＭＶ３）を生成する。なお、これらの電圧は以下の関係を満たす。
【００３７】
ＭＶ１＝ＨＶ−ＭＨＶ
ＭＶ２＝ＭＨＶ−ＭＬＶ
ＭＶ３＝ＭＬＶ      ここで、ＨＶ＞ＭＨＶ＞ＭＬＶ＞０
【００３８】
ＴＣＰ２３０（テープキャリアパッケージ）は、画像表示パネル１００に取り付けられている。ＴＣＰ２３０は、画像表示パネル１００を駆動するドライバＩＣ１７０（図３において不図示、図４参照）を実装し、コネクタ２２５Ａ，２２５Ｂと接続される。
【００３９】
コンデンサ２２３Ａ〜２２３Ｄは、ノイズ除去及び電源の安定化のために設けられる。コンデンサは、コネクタ毎に挿入され、ＰＣＢ２２０上において可能な限りコネクタ２２５Ａ，２２５Ｂに近い位置に挿入される。具体的には、コンデンサ２２３Ａ，２２３Ｂは、コネクタ２２５Ａの電源ライン（ＨＶ、ＭＨＶ，ＭＬＶ）とＧＮＤとの間に挿入される。コンデンサ２２３Ｃ，２２３Ｄは、コネクタ２２５Ｂの電源ライン（ＨＶ、ＭＨＶ，ＭＬＶ）とＧＮＤとの間に挿入される。
【００４０】
（３．２）論理ブロック構成
図４に示すように、情報表示装置１０は、画像表示モジュール３００、ＣＰＵ４００及び共通プラットフォーム５００に区分することができる。
【００４１】
画像表示モジュール３００は、表面電極４０ａ及び裏面電極４０ｂに電圧を印加することによって白色表示媒体９０Ｗ及び黒色表示媒体９０Ｂを駆動する。本実施形態において、画像表示モジュール３００は駆動部を構成する。
【００４２】
画像表示モジュール３００は、白色表示媒体９０Ｗ及び黒色表示媒体９０Ｂを駆動するために必要なデバイスによって構成される。具体的には、画像表示モジュール３００は、ロジックコントローラ１５０、高圧電源１６０、画像表示パネル１００、ドライバＩＣ１７０及び位置検出部１８０によって構成される。
【００４３】
ロジックコントローラ１５０は、ＣＰＵ４００からの制御に基づいてドライバＩＣ１７０を制御する。具体的には、ロジックコントローラ１５０は、画像表示パネル１００に適切な画像を表示させるために必要な処理が記憶されたチップによって構成される。
【００４４】
高圧電源１６０は、ＤＣ−ＤＣコンバータ２２１（図３参照）によって生成された複数の電圧をドライバＩＣ１７０に供給する。
【００４５】
ドライバＩＣ１７０は、画像表示パネル１００を駆動するＩＣによって構成される。ドライバＩＣ１７０は、ロジックコントローラ１５０からの制御に基づいて、高圧電源１６０から供給された複数の電圧のうち何れかの電圧を選択し、当該電圧値のパルスを出力する。
【００４６】
位置検出部１８０は、タッチペンとタッチパネルとから構成される。画像表示パネル１００の表面基板２０ａの観察側の表面がタッチペン或いは使用者の手指によって接触されると、タッチパネルによって接触位置が検出される。位置検出部１８０による画像表示パネル１００上の接触位置は、ＣＰＵ４００上で動作するデバイスドライバを介して検出される。
【００４７】
位置検出部１８０、画像表示パネル１００、及びＣＰＵ４００上で動作するデバイスドライバは、情報表示領域が接触された接触位置を検出する位置検出部を構成する。情報表示領域への接触位置を検出する具体的な方法としては、例えば、本願出願人によって既に出願されている、特開２００８−１７６２１３号公報、特開２００９−１３４３５４号公報等の方法などを適用可能である。
【００４８】
ＣＰＵ４００上では、ユーザアプリケーション、画像処理アプリケーション及びシステムアプリケーション（例えば、外部との通信アプリケーション）が動作する。また、ＣＰＵ４００上では、オペレーティングシステム（例えば、Ｌｉｎｕｘ）及びオペレーティングシステムに対応した各種のデバイスドライバが動作する。ＣＰＵ４００としては、１チップのマイコンなどを用いることができる。
【００４９】
共通プラットフォーム５００は、位置検出部１８０、画像表示モジュール３００及びＣＰＵ４００上で動作するオペレーティングシステム及びデバイスドライバによって構成される。また、情報表示装置１０は、各種メモリ（SDカードなど）へのアクセス機能、USBインタフェース及びBluetoothを搭載することもできる。
【００５０】
（４）情報表示装置の基本処理
図５〜図８は、情報表示装置１０において実行される基本的な駆動処理を説明するフローチャートである。基本的な駆動処理には、アップデート処理、タッチ入力処理、追記処理、消去処理がある。
【００５１】
（４−１）アップデート処理
図５は、アップデート処理を説明するフローチャートである。情報表示装置１０は、アップデート処理によって、現在表示されている情報に換えて新たな情報を表示する。電源部２１０からの電源の供給がオンに設定されると、ロジックコントローラ１５０は、現在表示されている情報を消去する処理（Erase processという、後述する）を実行する。消去の後、表示前処理（Pre-processという）を実行する。続いて、新たな情報を表示する描画処理（Draw process 1 という）を実行する。描画処理の後、表示後処理（Post-processという）を実行する。以上の一連の処理が実行されると、情報表示装置１０の画像表示パネル１００には、新たな情報が表示される。なお、アップデート処理において、表示前処理及び表示後処理は、実行しなくてもよい。
【００５２】
（４−２）タッチ入力処理
図６はタッチ入力処理を説明するフローチャートである。タッチ入力処理では、図５に示したフローチャートにおける描画処理の代わりに、現在表示されている情報に換えて、或いは現在表示されている情報に加えてタッチ入力によって入力された情報を表示する処理（Touch input processという）を実行する。これにより、情報表示装置１０の画像表示パネル１００には、タッチ入力によって入力された新たな情報が表示される。
【００５３】
（４−３）追記処理
図７は、追記処理を説明するフローチャートである。追記処理では、現在表示されている情報に加えて、新たな情報が追加して表示される。電源がオンに設定されると、ロジックコントローラ１５０は、現在表示されている情報に加えて新たな情報を追加して表示する、或いは現在表示されている情報に加えてタッチ入力によって入力された情報を表示する追記処理（Draw process 2 という）を実行する。追記処理の後、表示後処理（Post-processという）を実行する。以上の一連の処理が実行されると、情報表示装置１０の画像表示パネル１００には、予め表示されていた情報に、新たな情報が追加して表示される。
【００５４】
（４−４）消去処理
図８は、消去処理を説明するフローチャートである。消去処理では、情報表示装置１０の画像表示パネル１００に表示されている情報が消去される。電源がオンに設定されると、ロジックコントローラ１５０は、消去処理（Erase processという）を実行する。
【００５５】
（５）タッチ入力処理の詳細な説明
（５−１）タッチ入力処理（画素周期２）
図９は、タッチ入力処理を説明する模式図である。図１０は、位置検出部１８０を構成するタッチペン１８１のペン先が情報表示領域に接する領域の時間推移を説明する模式図である。図１０は、時刻が時刻ｔ１〜ｔ４と変化したときに、ペン先が領域Ａ１〜領域Ａ４のように推移することを示している。時刻ｔ１〜ｔ４の間隔は、位置検出部における検出間隔を示す。図１１は、位置検出部により各時刻（ｔ１〜ｔ４）に検出された情報表示領域に対応する入力領域Ｓ１〜Ｓ４の時刻ｔ５における様子を示す模式図である。図１１では、ペン先の軌跡に対応する画素についてのみ記載されているが、実際には、図１１において白抜きで示した画素にも画像が表示されている。
【００５６】
実施形態として示す情報表示装置１０では、赤フィルタ１１０Ｒ，緑フィルタ１１０Ｇ，青フィルタ１１０Ｂ，透明領域１１０Ｗが１画素を形成している。実施形態では、検出されたペン先の領域Ａ１を含む所定の入力領域Ｓ１において、赤フィルタ１１０Ｒと緑フィルタ１１０Ｇとが画像表示パネル１００の幅方向（Ｙ方向）に繰り返し配列されている。また、赤フィルタ１１０Ｒと青フィルタ１１０Ｂとが長さ方向（Ｘ方向）に繰り返し配列されている。Ｙ方向であれば、「Ｒ」、「Ｇ」、「Ｒ」、「Ｇ」、…、Ｘ方向であれば、「Ｒ」、「Ｂ」、「Ｒ」、「Ｂ」、…と繰り返される。従って、このような「Ｒ」、「Ｇ」、「Ｂ」の配列を「画素周期２」の配列という。
【００５７】
タッチ入力処理では、ロジックコントローラ１５０は、少なくとも位置検出部（（タッチペン／タッチパネル）１８０によって検出された画像表示パネル１００における検出位置に対応する領域内の表面電極４０ａと裏面電極４０ｂを、画素を構成する複数のカラーフィルタの繰り返し数、すなわち画素周期に分けて選択し、白色表示媒体９０Ｗ及び黒色表示媒体９０Ｂを駆動可能な書き込み電圧（ＨＶ）を印加する。
【００５８】
図１２は、入力領域のひとつ（Ｓ１）を拡大した拡大図である。説明のため、図１２では、赤フィルタ１１０Ｒを「Ｒ」、緑フィルタ１１０Ｇを「Ｇ」、青フィルタ１１０Ｂを「Ｂ」と表す。ロジックコントローラ１５０は、入力領域Ｓ１内において、２段階に分けて表面電極４０ａと裏面電極４０ｂを選択する。すなわち、ロジックコントローラ１５０は、ステップ１において、表面電極４１ａと裏面電極４１ｂとを選択して電圧を印加し、ステップ２において、表面電極４２ａと裏面電極４２ｂとを選択して電圧を印加する。
【００５９】
ロジックコントローラ１５０は、実施形態では、所定のカラーフィルタに対応する表面電極４０ａと裏面電極４０ｂに対して、白色表示媒体９０Ｗ及び黒色表示媒体９０Ｂを駆動可能な書き込み電圧（ＨＶ）を順次印加する。
【００６０】
図１２を用いて説明したように、入力領域Ｓ１内において、段階的に選択された表面電極４０ａ及び裏面電極４０ｂに電圧を印加し、更に、検出された領域に対して順次この処理を実行することにより、図１１に示すような軌跡が表示される。印加する電圧の波形については後述する。
【００６１】
（５−２）タッチ入力処理（画素周期３）
本実施形態では、例えば、ほかのカラーフィルタであっても適用できる。例えば、Ｗ領域を含まない３原色フィルタを用いることもできる。以下、図１３，図１４を用いて、画素周期３のカラーフィルタを使用した場合の、タッチ入力処理について説明する。図１３は、赤フィルタＲ，緑フィルタＧ，青フィルタＢがＸ方向及びＹ方向にこの順番に配列されたフィルタである。このような配列を画素周期３の配列という。
【００６２】
図１３は、位置検出部により各時刻（ｔ１〜ｔ４）に検出された情報表示領域に対応する入力領域Ｓ１１〜Ｓ１４の時刻ｔ５における様子を示す模式図である。
【００６３】
図１４（ａ）〜（ｃ）は、入力領域のひとつ（Ｓ１１）を拡大した拡大図である。ロジックコントローラ１５０は、入力領域Ｓ１１内において、図１４（ａ）、（ｂ）、（ｃ）の３段階に分けて表面電極４０ａと裏面電極４０ｂを選択する。すなわち、ロジックコントローラ１５０は、ステップ１１において、表面電極１４２ａ，１４３ａと裏面電極１４１ｂ，１４４ｂとを選択して電圧を印加し、ステップ１２において、表面電極１４１ａ，１４３ａと裏面電極１４２ｂ，１４５ｂとを選択して電圧を印加し、ステップ１３において、表面電極１４１ａ，１４２ａと裏面電極１４３ｂ，１４６ｂとを選択して電圧を印加する。
【００６４】
図１４を用いて説明したように、入力領域Ｓ１内において、画素周期における繰り返し数に分けて段階的に表面電極及び裏面電極を選択して電圧を印加することにより、図１３に示すような軌跡が表示される。印加する電圧の波形については後述する。
【００６５】
（５−３）タッチ入力処理における印加電圧
上述したタッチ入力処理において、画像表示モジュール３００によって電極間に印加される電圧について説明する。実施形態において、駆動電圧には、ＨＶ、ＭＨＶ、ＭＬＶ、０（但し、ＨＶ＞ＭＨＶ＞ＭＬＶ＞０）の４種類が設定されている。例えば、裏面電極４０ｂの電位がＨＶに設定され、表面電極４０ａの電位がＭＨＶに設定されることにより、電極間に中間電位ＭＶ１（ＨＶ−ＭＨＶ）が印加される。表面電極４０ａの電位がＭＨＶに設定され、裏面電極４０ｂの電位がＭＬＶに設定されることにより、電極間に中間電位ＭＶ２（ＭＨＶ−ＭＬＶ）が印加される。裏面電極４０ｂの電位がＭＬＶに設定され、表面電極４０ａの電位がグランド電位に設定されることにより、電極間に中間電位ＭＶ３（ＭＬＶ）が印加される。
【００６６】
（５−４）タッチ入力処理の駆動波形
図１２は、タッチ入力処理において用いられる駆動波形の一例を示す図である。タッチ入力処理では、ロジックコントローラ１５０は、少なくとも位置検出部（タッチペン／タッチパネル）１８０によって検出された画像表示パネル１００における検出位置に対応する表面電極４０ａと裏面電極４０ｂ（この場合の選択電極）に対して、以下に説明するパルスセットＰ７を発生する。ロジックコントローラ１５０は、選択電極に対して、電位−ＨＶ、パルス幅ＴＴｏｎ１のパルスをパルス間隔ＴＴｏｆｆ１でＮＴ回発生する。このとき、発生するパルスの回数ｋが増すに連れてパルス幅ＴＴｏｎｋをパルス幅ＴＴｏｎ１よりも長くするとともに、パルス間隔ＴＴｏｆｆｋをパルス間隔ＴＴｏｆｆ１よりも短くするように制御する。実施形態におけるＴＴｏｎ１、ＴＴｏｆｆ１、ＮＤの値を表１に示す。
【００６７】
【表１】
2011209326.tif 000003
【００６８】
非選択電極の電位差の極性は、描画する画像パターンによって変更することができる。、また、ロジックコントローラ１５０は、非選択電極に対して、パルスセットＰ８を発生する。すなわち、電位−ＭＶ１（又は−ＭＶ３）、パルス幅ＴＴ１ｏｎ１のパルスをパルス間隔ＴＴ１ｏｆｆ１でＮＴ１回発生する。このとき、発生するパルスの回数ｋが増すに連れてパルス幅ＴＴ１ｏｎｋをパルス幅ＴＴ１ｏｎ１よりも長くするとともに、パルス間隔ＴＴｏｆｆｋをパルス間隔ＴＴｏｆｆ１よりも短くするように制御する。
【００６９】
（６）作用・効果
実施形態の情報表示装置１０によれば、ロジックコントローラ１５０は、少なくともタッチペン／タッチパネル、画像表示パネル１００などによって構成される位置検出部によって検出された検出位置に対応する領域（図１１におけるＳ１〜Ｓ４）において、画素を構成する複数のカラーフィルタ１１０（赤フィルタ１１０Ｒ、緑フィルタ１１０Ｇ、青フィルタ１１０Ｂ、透明領域Ｗ）に対して、裏面電極４０ｂの配列方向（すなわちＸ方向）に沿った配列周期の順に、表面電極４０ａ及び裏面電極４０ｂ対して白色表示媒体９０Ｗ及び黒色表示媒体９０Ｂを駆動可能な書き込み電圧を異なるタイミングで印加する。
【００７０】
これにより、最初に検出された領域に対応する入力領域Ｓ１の全ての画素の色を再現した後、次に検出された領域に対応する画素集合Ｓ２の全画素の色を再現する場合に比べて、ペン先の軌跡が表示されるまでのタイムラグを縮めることができる。従って、情報表示領域が接触された位置に画像を表示する際の応答性を高めることができ、使用者は、紙に実際に描画している感覚に近い感覚で使用できる。
【００７１】
（７）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７２】
例えば、複数のカラーフィルタ１１０（赤フィルタ１１０Ｒ、緑フィルタ１１０Ｇ、青フィルタ１１０Ｂ、透明領域Ｗ）の配列は、図２，図１０などに記載された配列に限定されない。いわゆる、ストライプ配列、モザイク配列、デルタ配列などであってもよい。
【００７３】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７４】
１０…情報表示装置、  ２０ａ…表面基板、  ２０ｂ…裏面基板、  ３０…平坦化層、  ４０ａ…表面電極、  ４０ｂ…裏面電極、  ５０…隔壁、  ７０…有色層、  ８０…散乱層、  ９０Ｂ…黒色表示媒体、  ９０Ｗ…白色表示媒体、  １００…画像表示パネル、  １１０Ｒ…赤フィルタ、  １１０Ｇ…緑フィルタ、  １１０Ｂ…青フィルタ、  １５０…ロジックコントローラ、  １６０…高圧電源、  １７０…ドライバＩＣ、  １８０…位置検出部、  ２００…筐体、  ２１０…電源部、  ２２０…ＰＣＢ、  ２２１…ＤＣコンバータ、  ２２３Ａ〜２２３Ｄ…コンデンサ、  ２２５Ａ，２２５Ｂ…コネクタ、  ２３０…ＴＣＰ、  ３００…画像表示モジュール、  ４００…ＣＰＵ、  ５００…共通プラットフォーム
【図１】
2011209326.tif 000004
【図２】
2011209326.tif 000005
【図３】
2011209326.tif 000006
【図４】
2011209326.tif 000007
【図５】
2011209326.tif 000008
【図６】
2011209326.tif 000009
【図７】
2011209326.tif 000010
【図８】
2011209326.tif 000011
【図９】
2011209326.tif 000012
【図１０】
2011209326.tif 000013
【図１１】
2011209326.tif 000014
【図１２】
2011209326.tif 000015
【図１３】
2011209326.tif 000016
【図１４】
2011209326.tif 000017
【図１５】
2011209326.tif 000018